(57)【特許請求の範囲】
【請求項１】
太刀魚テンヤ（２）の釣り針（４）の胴（４ａ）に、その胴（４ａ）の後端上面に固定されて斜め後ろ上向きに延び出す短寸の片持ち支持の支軸（１４）が設けられ、さらに、その支軸（１４）の自由端側の外周に抜き差し自在に差し込まれる弾性変形可能なチューブ（１６）と、そのチューブがチモト（１３ａ）に装着された第２の釣り針（１３）と、その第２の釣り針（１３）を太刀魚テンヤ（２）に繋ぐハリス（１５）が設けられ、
前記第２の釣り針（１３）は、上向きに屈曲した針を備え、その第２の釣り針（１３）が前記チューブ（１６）を介して前記支軸（１４）に付け外し可能に装着されて太刀魚テンヤ（２）の釣り針（４）の腰曲げ部（４ｂ）よりも上側、かつ、後方に配置された複合テンヤ。
【請求項２】
前記第２の釣り針（１３）が４本以上の針を束ねた烏賊釣り用の傘針である請求項１に記載の複合テンヤ。
【請求項３】
前記太刀魚テンヤ（２）が、魚頭形状に成形された先端の錘（３）の外周に下記のハリス接続部（８）を備えた請求項１又は２に記載の複合テンヤ。
記
材料の線材を前記錘（３）の先端において上向きに屈曲させた折り曲げ部（８ａ）と、その折り曲げ部（８ａ）から斜め後方上向きに延びる直線部（８ｂ）と、その直線部（８ｂ）の上端を下側に曲げ戻して最上部に形成される曲げ戻し部（８ｃ）を備え、前記曲げ戻し部（８ｃ）がテンヤの前後の重量バランス点にあるハリス接続部。
【発明の詳細な説明】
【技術分野】
【０００１】
この発明は、太刀魚用のテンヤに烏賊、フグ、カワハギなどを釣るための釣り針を取り付けた複合テンヤに関する。
【背景技術】
【０００２】
例えば、太刀魚の船釣りでは、錘と釣り針を一体化した太刀魚テンヤが使用されている。
【０００３】
太刀魚の船釣りでは、太刀魚テンヤに取り付けた餌の鰯など小魚やラバージグなどの疑似餌に烏賊、フグ、カワハギなどが喰いついてくることがよくある。
【０００４】
しかしながら、錘を先端に配置し、その錘の後方に胴（軸）を延び出させ、胴の後端に腰曲げ部、先曲げ部、及び返しのついた針先部を設けた太刀魚テンヤは、針先が下向きに曲がった状態で使用されることから、ホバリング状態で横や上から餌に食いつく烏賊、フグ、カワハギなどは掛からない。
【０００５】
そこで、太刀魚テンヤに烏賊を釣る烏賊テンヤを一体化した複合テンヤが下記特許文献１によって提案されている。
【０００６】
その特許文献１に示された複合テンヤは、太刀魚テンヤの釣り針の胴の上側に烏賊テンヤの針（これは複数本ある）を使用状態において針先が斜め上向きに曲がる姿勢にして結合したものであり、烏賊テンヤの針を併設することで太刀魚釣りにおいて同一テンヤで烏賊を釣ることもできるとしている。
【先行技術文献】
【特許文献】
【０００７】
【特許文献１】特開２００３−２３０３３０号公報
【特許文献２】特許第５６８７３７５号公報
【発明の概要】
【発明が解決しようとする課題】
【０００８】
上記特許文献１の複合テンヤは、太刀魚テンヤの針と烏賊テンヤの針を、針先の位置と針の曲げ方向が魚の食習性に合わせて逆になるように組み合わせ、胴部長手方向には針先位置をほぼ揃えて互いに固定されている。
【０００９】
この複合テンヤは、前側から見たときに、計３個ある針先が倒立三角形の各頂点に置かれ、さらに、上側の烏賊テンヤの２個の針先は斜め外側を向いた状態になる。
【００１０】
このため、テンヤに取り付けられた餌（疑似餌も含めて単に餌と言う。以下も同様）に対して太刀魚が下から喰いついたときに烏賊テンヤの針先に触れ、その針先が突き刺さる方向に突出しているため違和を感じて餌を離して逃げる。その懸念があり、肝心の太刀魚に関して満足な釣果を期待しにくい。
【００１１】
また、烏賊テンヤの針に烏賊が掛かった場合、餌に抱きついた烏賊が抱きついた位置に保持されるため、太刀魚の追い食いが妨げられたり、掛かった烏賊を取り込もうとして道糸を巻き上げているときに掛かった烏賊が太刀魚に噛みつかれて傷物になることも起こり得る。
【００１２】
そこで、この発明は、太刀魚に違和感を与え難く、また、烏賊などが掛かってもテンヤに対する太刀魚の食いつきが妨げられ難く、掛かった烏賊などが太刀魚に噛みつかれることも起こり難い複合テンヤを提供することを課題としている。
【課題を解決するための手段】
【００１３】
上記の課題を解決するため、この発明においては、以下の如く構成された複合テンヤを提供する。
その複合テンヤは、太刀魚テンヤの釣り針の胴に、胴の後端上面に固定されて斜め後ろ上向きに延び出す短寸の片持ち支持の支軸が設けられ、さらに、その支軸の自由端側の外周に抜き差し自在に差し込まれる弾性変形可能なチューブと、そのチューブがチモトに装着された第２の釣り針と、その第２の釣り針を太刀魚テンヤに繋ぐハリスが設けられ、
前記第２の釣り針は、上向きに屈曲した針を備え、その第２の釣り針が前記チューブを介して前記支軸に付け外し可能に装着されて太刀魚テンヤの釣り針の腰曲げ部よりも上側、かつ、後方に配置されたものである。
【００１４】
かかる複合テンヤの前記第２の釣り針は、１本針や２本針でもよいが、４本以上の針を束ねた烏賊釣り用の傘針が好ましい。
【００１５】
また、第２の釣り針を追設する太刀魚テンヤは、一般的なテンヤ、即ち、ハリスを接続する環が、テンヤの前後の重量がバランスする位置に設けられ、水中でのテンヤの姿勢が水平になるタイプのテンヤであってもよいが、それよりは、本出願人が開発した特許文献２に記載のテンヤが太刀魚の釣り逃がしを減らすことができて好ましい。
【発明の効果】
【００１６】
この発明の複合テンヤは、太刀魚用の釣り針と第２の釣り針を併設しており、第２の釣り針で烏賊、フグ、カワハギを釣り上げることができる。
【００１７】
その第２の釣り針は、太刀魚テンヤの釣り針の腰曲げ部よりも上側、かつ、後方に配置されており、太刀魚テンヤに取り付けた餌に太刀魚が食いついたときにその第２の釣り針
が太刀魚に銜えられることがなく、違和感を与えない。
【００１８】
従って、餌に食いついた太刀魚が餌を離して逃げるケースが減少し、太刀魚の釣果もあがる。
【００１９】
また、第２の釣り針に烏賊などが掛かると第２の釣り針が支軸から外れ、そのことで、太刀魚の追い食いが妨げられることがなくなり、掛かった烏賊などが太刀魚に噛みつかれて傷物になることも回避される。
【図面の簡単な説明】
【００２０】
【図１】この発明の複合テンヤの一例を示す側面図である。
【図２】図１の複合テンヤを使用状態にして示す側面図である。
【図３】この発明の複合テンヤの他の例を示す側面図である。
【発明を実施するための形態】
【００２１】
以下、この発明の複合テンヤの実施の形態を添付図面の図１〜図３に基づいて説明する。図１の複合テンヤ１は、太刀魚テンヤ２に第２の釣り針１３を追設したものである。
【００２２】
太刀魚テンヤ２は、上記特許文献２に記載のテンヤである。その太刀魚テンヤ２は、魚頭形状に成形した錘３を先端に配し、その錘３の後方に釣り針４の胴４ａを延び出させ、胴の後端に釣り針の腰曲げ部４ｂ、先曲げ部４ｃ、及び返し４ｄのついた針先部４ｅを設けている。
【００２３】
また、釣り針の胴４ａの長手途中に、餌の魚を突き刺す止め針５を設け、さらに、錘３の下部（魚頭のあご）に環６を設け、その環６に餌の魚をくくりつけるワイヤー７（ステンレス線が一般的）の一端を接続している。
【００２４】
さらに、魚頭形状に成形された錘３の外周に特殊な形状のハリス接続部８を設けている。
【００２５】
そのハリス接続部８は、材料の線材を錘３の先端において上向きに屈曲させて折り曲げ部８ａを形成し、さらに、その折り曲げ部８ａから斜め後方上向きに延びる直線部８ｂを形成し、その直線部の上端を下側に曲げ戻して最上部に位置する曲げ戻し部８ｃを形成した形状になっている。曲げ戻し部８ｃはテンヤの前後の重量バランス点にある。
【００２６】
例示の太刀魚テンヤ２のハリス接続部８は、釣り針の胴４ａの針先側とは反対側に延長部を設け、その延長部を曲げ加工して釣り針４と一体に形成している。また、止め針５もハリス接続部８に連ならせているが、ハリス接続部８、止め針５、釣り針４は別加工されたものを組み合わせて設けてもよい。
【００２７】
そのハリス接続部８が連設された釣り針４は、魚頭形状の錘３に一体化されている。
【００２８】
なお、魚頭形状の錘３の表面には、蓄光塗料の塗膜や人造の目９が設けられているが、これらは好ましい要素に過ぎない。
【００２９】
例示の複合テンヤ１の太刀魚テンヤ２には、ハリス接続部８にリング１０を遊嵌しており、そのリング１０にハリス１１が接続される。ワイヤー製ハリス１１の端部には、インターロックスナップ１２が取り付けられており、そのインターロックスナップ１２をリング１０にかけることで複合テンヤ１をハリス１１につなぐことができる。
【００３０】
インターロックスナップ１２を省いてリング１０にハリス１１を直接結びつけることもできる。
【００３１】
端部にインターロックスナップ１２が取り付けられているハリスは、インターロックスナップ１２をハリス接続部８に直接遊嵌して複合テンヤ１に接続することができる。
【００３２】
例示の複合テンヤ１の太刀魚テンヤ２には、釣り針４の胴４ａの後端上面に支軸１４が固定して設けられている。
【００３３】
その支軸１４は、自由端側が斜め後ろ上向きに延び出す短寸の片持ち支持の軸である。
【００３４】
第２の釣り針１３は、例示の複合テンヤに対しては、烏賊用釣り針として知られる傘針が設けられている。その第２の釣り針１３は、ハリス１５を介して太刀魚テンヤの釣り針４に接続されている。
【００３５】
ハリス１５は、後述するチューブ１６が支軸１４から抜けて外れることを妨げない長さを有している。そのハリス１５は、片端が止針５に連結されているが、その片端は支軸１４の付け根などに連結されていてもよい。
【００３６】
第２の釣り針１３には、チモト１３ａの外周にゴムや軟質樹脂で形成された弾性変形可能なチューブ１６が装着されている。
【００３７】
そのチューブ１６は、片端がチモト１３ａから突出して口をあけた状態になっており、その片端が支軸１４の自由端側の外周に抜き差し自在に差し込まれて第２の釣り針１３が、図２に示すように、太刀魚テンヤ２に組み付けられる。
【００３８】
第２の釣り針１３は、上向きに屈曲した針を備える。ここではその第２の釣り針１３として烏賊用傘針を設けたが、第２の釣り針１３は、上向きに屈曲した１本針や斜め上向き
かつ、相反する向きに屈曲した２本針であってもよい。
【００３９】
その第２の釣り針１３がチューブ１６を介して支軸１４に付け外し可能に装着され、太刀魚テンヤの釣り針４の腰曲げ部４ｂよりも上側、かつ、後方に配置されて複合テンヤ１が構成されている。
【００４０】
このように構成した複合テンヤ１は、図２に示すように、胴４ａにラバージグやいわしなどの餌１７を取り付けて使用する。餌１７を、止め針５を突き刺して胴４ａに沿わせ、外周にワイヤー７を巻きつけて胴４ａに固定する。
【００４１】
ワイヤー７は、支軸１４がなければ巻きつけの向きを胴４ａの終端近くで反転させて巻き終わり端側も環６に固定せざるを得ないが、支軸１４がある図示のテンヤによれば、ワイヤー７の巻き終わり端側は支軸１４の根元に巻きつけて固定することができ、餌の固定も容易になる。
【００４２】
餌１７をつけた複合テンヤ１を海中に投入後に烏賊、フグ、カワハギなどが餌に抱きついたり餌をつついたりし、そのアタリを感じた釣り人が所謂アワセを行って第２の釣り針１３に掛かった場合、第２の釣り針１３は支軸１４から外れる。
【００４３】
これにより、太刀魚の追い食いが妨げられることがなくなり、掛かった烏賊などが追い食いする太刀魚に噛みつかれて傷物になることも回避される。
【００４４】
なお、この発明の複合テンヤ１を構成する太刀魚テンヤ２は、前記特許文献２に記載のものに限定されない。
【００４５】
図３に示すように、ハリス接続部８Ａが単純形状の環で構成され、ハリス接続部用の環がテンヤの前後の重量バランス点に設けられた一般的な太刀魚テンヤであってもよく、本発明の複合テンヤ１は、それに支軸１４、ハリス１５及びチューブ１６の３者を追設したものであってもよい。
【符号の説明】
【００４６】
１          複合テンヤ
２          太刀魚テンヤ
３          錘
４          釣り針
４ａ        胴
４ｂ        腰曲げ部
４ｃ        先曲げ部
４ｄ        返し
４ｅ        針先部
５          止め針
６          環
７          ワイヤー
８，８Ａ    ハリス接続部
８ａ        折り曲げ部
８ｂ        直線部
８ｃ        曲げ戻し部
９          人造の目
１０        リング
１１        ハリス
１２        インターロックスナップ
１３        第２の釣り針
１３ａ      チモト
１４        支軸
１５        ハリス
１６        チューブ
１７        餌
【要約】
【課題】太刀魚に違和感を与え難く、また、烏賊などが掛かってもテンヤに対する太刀魚の食いつきが妨げられ難く、掛かった烏賊などが太刀魚に噛みつかれることも起こり難い複合テンヤを提供することを課題としている。
【解決手段】複合テンヤ１を、太刀魚テンヤ２の釣り針の胴４ａに、その胴の後端上面に固定されて斜め後ろ上向きに延び出す短寸の片持ち支持の支軸１４と、その支軸の自由端側の外周に抜き差し自在に差し込まれる弾性変形可能なチューブ１６と、そのチューブがチモトに装着された第２の釣り針１３と、その第２の釣り針を太刀魚テンヤに繋ぐハリス１５が設けられた構造にした。
【選択図】図１【図１】
0005913716.tif 000002
【図２】
0005913716.tif 000003
【図３】
0005913716.tif 000004